(57)【要約】【課題】使用に対して外枠部内に組み合わさる内枠部のスムーズな摺動と、該摺動に対しても内枠部の外周面にすり傷が付かない装身具の組み込み構造を提供する。【解決手段】貫通孔２を有する外枠部１と、該外枠部内に摺動可能に組み込みされる内枠部６と、リング状弾性体５と５ａとからなり、外枠部１は、一端側の径に対して他端側の径が小さい断面形状が段差状となる貫通孔２を有するとともに前記他端側の貫通孔２の内壁面３に環状溝４を設けてリング状弾性体５を嵌装して形成、内枠部６は、外枠部１内に配置されるとともに一端の外周に突起部７を有し、該突起部の根方付近の外周面に環状溝４ａを設けてリング状弾性体５ａを嵌装し、前記断面形状が段差状となる貫通孔２の段差部分に突起部７が当たり貫通孔２の一端側より他端側へ抜け出ることを防止、また、外枠部１内に配置後、他端の外周に止め部８を設けて形成、以上の構成によりなるものである。【選択図】図２
0003121385.tif 000002
【実用新案登録請求の範囲】
【請求項１】
貫通孔を有する外枠部と、該外枠部内に摺動可能に組み込みされる内枠部と、２個のリング状弾性体とからなり、
前記外枠部は、一端側の径に対して他端側の径が小さい断面形状が段差状となる貫通孔を有するとともに前記他端側の貫通孔の内壁面に環状溝を設けて第１リング状弾性体を嵌装してなり、
前記内枠部は、前記外枠部内に配置されるとともに一端の外周に突起部を有し、該突起部の根方付近の外周面に環状溝を設けて第２リング状弾性体を嵌装し、
前記断面形状が段差状となる貫通孔の段差部分に前記突起部が当たり前記貫通孔の一端側より他端側へ抜け出ることを防止、また、外枠部内に配置後、他端の外周に止め部を設けてなり、以上の構成によりなることを特徴とする装身具の組み込み構造。
【請求項２】
貫通孔を有する外枠部と、該外枠部内に摺動可能に組み込みされる内枠部と、リング状弾性体とからなり、
前記外枠部は、一端側の径に対して他端側の径が小さい断面形状が段差状となる貫通孔を有するとともに前記他端側の貫通孔の内壁面に環状溝を設けてリング状弾性体を嵌装してなり、
前記内枠部は、前記外枠部内に配置されるとともに一端の外周に突起部を有し、前記断面形状が段差状となる貫通孔の段差部分に当たり前記貫通孔の一端側より他端側へ抜け出ることを防止、また、外枠部内に配置後、他端の外周に止め部を設けてなり、以上の構成によりなることを特徴とする装身具の組み込み構造。
【請求項３】
請求項１または請求項２記載の装身具の組み込み構造において、前記外枠部より前記内枠部を引き出し伸長及び該外枠部へ押し込み収納可能としたことを特徴とする装身具。
【考案の詳細な説明】
【技術分野】
【０００１】
本考案は、引き出し機構にて全体長さを伸長し、それを押し込み収納可能とした装身具の組み込み構造に関するものである。
【背景技術】
【０００２】
従来、ペンダント、イヤリング等の下げ飾り装身具は、表裏に宝石を留めたり、模様を施したりしたデザイン性に富んだものが一般的に多く用いられ、また、機能性として、リバーシブルとして使用できる、宝石が揺動する等が有る。しかしながら、装身具の形状自体が大幅に変えられる組み込み構造を持ち合わせた装身具は少なく、特に全長を長くできるものは極めて少ない。
【０００３】
その中で上記問題点を解消しようとする組み込み構造を有する装身具として、「本体を上部体と下部体とに２分割し、該上部体と下部体とを穴軸の関係で伸縮自在に組み合わせ、該上部体と下部体とが密着するように縮ませた状態と適宜の長さに引き延ばした状態とに摩擦力で保持されるように構成したことを特徴とする装身用下げ飾り」とした特許文献がある（例えば特許文献１参照。）。
【０００４】
しかしながら、上記の装身用下げ飾りは、「上部体と下部体とが密着するように縮ませた状態と適宜の長さに引き延ばした状態とに摩擦力で保持されるように構成」であるが為に、使用に対して上部体に組み合わさる下部体が摺触により、すり傷が付き易い欠点がある。
【０００５】
【特許文献１】実開平０２−１２１８０７号公報
【考案の開示】
【考案が解決しようとする課題】
【０００６】
前記事項を鑑み解決しようとする問題点は、使用に対して外枠部内に組み合わさる内枠部のスムーズな摺動と、該摺動に対しても内枠部の外周面にすり傷が付かない装身具及びその組み込み構造を提供する。
【課題を解決するための手段】
【０００７】
上記課題を解決するために、請求項１に係る考案は、貫通孔を有する外枠部と、該外枠部内に摺動可能に組み込みされる内枠部と、２個リング状弾性体とからなり、
前記外枠部は、一端側の径に対して他端側の径が小さい断面形状が段差状となる貫通孔を有するとともに前記他端側の貫通孔の内壁面に環状溝を設けて第１リング状弾性体を嵌装してなり、前記内枠部は、前記外枠部内に配置されるとともに一端の外周に突起部を有し、該突起部の根方付近の外周面に環状溝を設けて第２リング状弾性体を嵌装し、前記断面形状が段差状となる貫通孔の段差部分に前記突起部が当たり前記貫通孔の一端側より他端側へ抜け出ることを防止、また、外枠部内に配置後、他端の外周に止め部を設けてなり、以上の構成によりなるものである。
【０００８】
また、請求項２に係る考案は、貫通孔を有する外枠部と、該外枠部内に摺動可能に組み込みされる内枠部と、リング状弾性体とからなり、前記外枠部は、一端側の径に対して他端側の径が小さい断面形状が段差状となる貫通孔を有するとともに前記他端側の貫通孔の内壁面に環状溝を設けてリング状弾性体を嵌装してなり、前記内枠部は、前記外枠部内に配置されるとともに一端の外周に突起部を有し、前記断面形状が段差状となる貫通孔の段差部分に当たり前記貫通孔の一端側より他端側へ抜け出ることを防止、また、外枠部内に配置後、他端の外周に止め部を設けてなり、以上の構成によりなるものである。
【０００９】
また、請求項３に係る考案は、前記いずれかの装身具の組み込み構造において、前記外枠部より前記内枠部を引き出し伸長及び該外枠部へ押し込み収納可能とするものである。
【考案の効果】
【００１０】
以上述べたように、外枠部の貫通孔の内壁面にリング状弾性体を嵌装し、内枠部の外周面にもリング状弾性体を嵌装した構造とすることにより、外枠部に組み合わさる内枠部のスムーズな摺動及び該摺動に対してもすり傷が付かない組み込み構造とすることができた。
【００１１】
また、外枠部の貫通孔の内壁面にリング状弾性体を嵌装した構造としたことにより、外枠部に組み合わさる内枠部の摺動に対しても該内枠部外周面にすり傷が付かない組み込み構造とすることができた。
【００１２】
また、前記組み込み構造としたことにより、部品の組立てを容易として、最終仕上げの作業性向上に伴う低コストでの装身具の製作が可能となった。
【考案を実施するための最良の形態】
【００１３】
以下、本考案の目的である使用に対して外枠部内に組み合わさる内枠部のスムーズな摺動と、該摺動に対しても内枠部の外周面にすり傷が付かない装身具及びその組み込み構造は、図面を用いて詳細に説明する。
【００１４】
図１は、本考案の組み込み構造を用いて望遠鏡型としたペンダント１０とする装身具の実施例を示す斜視図であり、ペンダント１０は、貫通孔２を有する外枠部１と、該外枠部内に摺動可能に組み込みされる内枠部６と、該内枠部他端の外周に設けた止め部８と、紐状体を通して下げ飾るためのバチカン９と、２個のリング状弾性体（図示無し）とからなる部材にて構成した。
【００１５】
図２は、図１のＡ−Ａ線断面図であり、該断面図にて本考案の組み込み構造を説明する。
外枠部１は、一端側の径に対して他端側の径が小さい断面形状が段差状となる貫通孔２を有するとともに前記他端側の貫通孔２の内壁面３に環状溝４を設けて第１リング状弾性体５を嵌装して形成した。
【００１６】
内枠部６は、外枠部１内に配置されるとともに一端の外周に突起部７を有し、該突起部７の根方付近の外周面に環状溝４ａを設けて第２リング状弾性体５ａを嵌装し、前記断面形状が段差状となる貫通孔２の段差部分に突起部７が当たり貫通孔２の一端側より他端側へ抜け出ることを防止、また、外枠部１内に配置後、他端の外周に止め部８を設けて形成した。
【００１７】
以上の構成により、外枠部１内より内枠部６が抜け出ることなく、第１リング状弾性体５が内枠部６の外周面と摺触、また、第２リング状弾性体５ａが外枠部１に設けた貫通孔２の一端側の内壁面と摺触させることで、内枠部６の外周面に摺動によるすり傷を付けることなくスムーズな摺動にて外枠部１より内枠部６を引き出し伸長及び外枠部１へ押し込み収納可能とした組み込み構造とすることができた。
【００１８】
実施に際しては、内枠部２に貫通した孔を設けて形成したが、限定するものではなく、目的とする用途によっては前記孔を設けなくても良い。
【００１９】
図３は、図２より外枠部１内へ内枠部６を押し込み収納した状態を示す断面図であり、内枠部６を収納し、バチカン９を回転移動させることでバチカン９に紐状体を挿通することができる。
【００２０】
図４は、図１の斜視図を基として、請求項２に係わる組み込み構造を用いて望遠鏡型としたペンダント２２とする装身具の実施例を示す斜視図であり、
ペンダント２２は、貫通孔１２を有する外枠部１１と、外枠部１１内に摺動可能に組み込みされる内枠部１６と、該内枠部他端の外周に設けた止め部１８と、紐状体を通して下げ飾るためのバチカン１９と、リング状弾性体１５とからなる部材にて構成した。
【００２１】
そして、外枠部１１は、一端側の径に対して他端側の径が小さい断面形状が段差状となる貫通孔１２を有するとともに前記他端側の貫通孔１２の内壁面１３に環状溝１４を設けてリング状弾性体１５を嵌装して形成した。
【００２２】
また、内枠部１６は、外枠部１１内に配置されるとともに一端の外周に突起部１７を有し、前記断面形状が段差状となる貫通孔１２の段差部分に当たり貫通孔１２の一端側より他端側へ抜け出ることを防止、また、外枠部１１内に配置後、他端の外周に止め部１８を設けて形成した。
【００２３】
以上の構成により、外枠部１１内より内枠部１６が抜け出ることなく、リング状弾性体１５が内枠部１６の外周面と摺触させることで、内枠部１６の外周面に摺動によるすり傷を付けることなくスムーズな摺動にて外枠部１１より内枠部１６を引き出し伸長及び外枠部１１へ押し込み収納可能とした組み込み構造とすることができた。
【００２４】
また、外枠部１１の一端側の貫通孔１２に座金２０にカボーションカットの宝石２１を石留めして配置して装飾性、遊び心を持たせた装身具となった。
【００２５】
図５は、図４より外枠部１１内へ内枠部１６を押し込み収納した状態を示す断面図であり、内枠部１６を収納し、バチカン１９を回転移動させることでバチカン１９に紐状体を挿通することができる状態を示す。
【図面の簡単な説明】
【００２６】
【図１】本考案の組み込み構造を用いた装身具の実施例を示す斜視図である。
【図２】図１のＡ−Ａ線断面図である。
【図３】図２より外枠部内へ内枠部を押し込み収納した状態を示す断面図である。
【図４】請求項２に係わる装身具の組み込み構造を示す断面図である。
【図５】図４より外枠部内へ内枠部を押し込み収納した状態を示す断面図である。
【符号の説明】
【００２７】
１    外枠部
２    貫通孔
３    内壁面
４    環状溝
５    第１リング状弾性体
５ａ  第２リング状弾性体
６    内枠部  
７    突起部
８    止め部
９    バチカン
１０    ペンダント
１１    外枠部
１２    貫通孔
１３    内壁面
１４    環状溝
１５    リング状弾性体
１６    内枠部
１７    突起部
１８    止め部
１９    バチカン
２０    座金
２１    宝石
２２    ペンダント
【図１】
0003121385.tif 000003
【図２】
0003121385.tif 000004
【図３】
0003121385.tif 000005
【図４】
0003121385.tif 000006
【図５】
0003121385.tif 000007